(57)【要約】本開示のある態様は、無線通信システムにおける連続通信モードのための技術を提案する。この技術は、ボイス・オーバ・インターネット・プロトコル（ＶＯＩＰ）到着時間にマップされた送信時間を有する送信時間インタバル（ＴＴＩ）送信のバンドルを処理することを含みうる。ここで、バンドルされたＴＴＩ送信は、アクノレッジメント無しで処理され、バンドルされたＴＴＩ送信が正しく受信されたことが示される。
2013520140.tif 000002
【特許請求の範囲】
【請求項１】
無線通信システムにおける通信のための方法であって、
連続通信モードに入るための設定シグナリングを基地局から受信することと、
周期的なパケット到着時間にマップされた送信時間を有する送信時間インタバル（ＴＴＩ）送信のバンドルを処理することと、ここで、前記バンドルされたＴＴＩ送信は、アクノレッジメント無しで処理され、前記バンドルされたＴＴＩ送信が正しく受信されたことが示される、
を備える方法。
【請求項２】
前記周期的なパケット到着時間は、ボイス・オーバ・インターネット・プロトコル（ＶＯＩＰ）パケットのためのものである、請求項１に記載の方法。
【請求項３】
前記無線通信システムは、ロング・ターム・イボリューション（ＬＴＥ）システムを備える、請求項１に記載の方法。
【請求項４】
前記設定シグナリングは、物理ダウンリンク制御チャネル（ＰＤＣＣＨ）によって伝送される、請求項１に記載の方法。
【請求項５】
前記処理することは、前記基地局から、ＴＴＩ送信の１または複数のバンドルを受信することを備える、請求項１に記載の方法。
【請求項６】
前記連続通信モードで送信されるパケットの早期終了を促すために、前記基地局へアクノレッジメントを送信すること、をさらに備える請求項１に記載の方法。
【請求項７】
前記処理することは、ＴＴＩ送信の１または複数のバンドルを、前記基地局へ送信することを備える、請求項１に記載の方法。
【請求項８】
前記基地局からアクノレッジメントを受信することに応じて、前記連続通信モードを終了すること、をさらに備える請求項１に記載の方法。
【請求項９】
アクティブな通話中の連続通信モードと、サイレンス時間中の通常の通信モードとを交互すること、を備える請求項１に記載の方法。
【請求項１０】
各バンドルにおけるＴＴＩの数は、周期的なパケット到着時間未満の時間に対応する、請求項１に記載の方法。
【請求項１１】
無線通信システムにおける通信のための装置であって、
連続通信モードに入るための設定シグナリングを基地局から受信する手段と、
周期的なパケット到着時間にマップされた送信時間を有する送信時間インタバル（ＴＴＩ）送信のバンドルを処理する手段と、ここで、前記バンドルされたＴＴＩ送信は、アクノレッジメント無しで処理され、前記バンドルされたＴＴＩ送信が正しく受信されたことが示される、
を備える装置。
【請求項１２】
前記周期的なパケット到着時間は、ボイス・オーバ・インターネット・プロトコル（ＶＯＩＰ）パケットのためのものである、請求項１１に記載の装置。
【請求項１３】
前記無線通信システムは、ロング・ターム・イボリューション（ＬＴＥ）システムを備える、請求項１１に記載の装置。
【請求項１４】
前記設定シグナリングは、物理ダウンリンク制御チャネル（ＰＤＣＣＨ）によって伝送される、請求項１１に記載の装置。
【請求項１５】
前記処理する手段は、前記基地局から、ＴＴＩ送信の１または複数のバンドルを受信する手段を備える、請求項１１に記載の装置。
【請求項１６】
前記連続通信モードで送信されるパケットの早期終了を促すために、前記基地局へアクノレッジメントを送信する手段、をさらに備える請求項１１に記載の装置。
【請求項１７】
前記処理する手段は、ＴＴＩ送信の１または複数のバンドルを、前記基地局へ送信する手段を備える、請求項１１に記載の装置。
【請求項１８】
前記基地局からアクノレッジメントを受信することに応じて、前記連続通信モードを終了させる手段、をさらに備える請求項１１に記載の装置。
【請求項１９】
アクティブな通話中の連続通信モードと、サイレンス時間中の通常の通信モードとを交互させる手段、を備える請求項１１に記載の装置。
【請求項２０】
各バンドルにおけるＴＴＩの数は、周期的なパケット到着時間未満の時間に対応する、請求項１１に記載の装置。
【請求項２１】
無線通信システムにおける通信のための装置であって、
連続通信モードに入るための設定シグナリングを基地局から受信し、
周期的なパケット到着時間にマップされた送信時間を有する送信時間インタバル（ＴＴＩ）送信のバンドルを処理する、ここで、前記バンドルされたＴＴＩ送信は、アクノレッジメント無しで処理され、前記バンドルされたＴＴＩ送信が正しく受信されたことが示される、
ように構成された少なくとも１つのプロセッサと、
少なくとも１つのプロセッサに接続されたメモリと、
を備える装置。
【請求項２２】
無線通信システムにおける通信のためのコンピュータ・プログラム製品であって、
連続通信モードに入るための設定シグナリングを基地局から受信し、
周期的なパケット到着時間にマップされた送信時間を有する送信時間インタバル（ＴＴＩ）送信のバンドルを処理し、ここで、前記バンドルされたＴＴＩ送信は、アクノレッジメント無しで処理され、前記バンドルされたＴＴＩ送信が正しく受信されたことが示される、
ためのコードを備えるコンピュータ読取可能な媒体を備える、コンピュータ・プログラム製品。
【請求項２３】
無線通信システムにおける通信のための方法であって、
連続通信モードに入るための設定シグナリングを少なくとも１つのユーザ機器（ＵＥ）へ送信することと、
周期的なパケット到着時間にマップされた送信時間を有する送信時間インタバル（ＴＴＩ）送信のバンドルを処理することと、ここで、前記バンドルされたＴＴＩ送信は、アクノレッジメント無しで処理され、前記バンドルされたＴＴＩ送信が正しく受信されたことが示される、
を備える方法。
【請求項２４】
前記周期的なパケット到着時間は、ボイス・オーバ・インターネット・プロトコル（ＶＯＩＰ）パケットのためのものである、請求項２３に記載の方法。
【請求項２５】
前記無線通信システムは、ロング・ターム・イボリューション（ＬＴＥ）システムを備える、請求項２３に記載の方法。
【請求項２６】
前記設定シグナリングは、物理ダウンリンク制御チャネル（ＰＤＣＣＨ）によって伝送される、請求項２３に記載の方法。
【請求項２７】
前記処理することは、ＴＴＩ送信の１または複数のバンドルを、前記少なくとも１つのＵＥへ送信することを備える、請求項２３に記載の方法。
【請求項２８】
前記連続通信モードを終了するため、アクノレッジメントを前記少なくとも１つのＵＥへ送信すること、をさらに備える請求項２３に記載の方法。
【請求項２９】
前記処理することは、前記少なくとも１つのＵＥから、ＴＴＩ送信の１または複数のバンドルを受信することを備える、請求項２３に記載の方法。
【請求項３０】
前記少なくとも１つのＵＥからアクノレッジメントを受信することに応じて、前記連続通信モードを終了すること、をさらに備える請求項２３に記載の方法。
【請求項３１】
アクティブな通話中の連続通信モードと、サイレンス時間中の通常の通信モードとを交互すること、を備える請求項２３に記載の方法。
【請求項３２】
前記少なくとも１つのＵＥは、複数のＵＥを備え、
前記処理することは、バンドルされたＴＴＩを、互い違いの送信時間で、別のＵＥへ送信することを備える、請求項２３に記載の方法。
【請求項３３】
前記少なくとも１つのＵＥは、複数のＵＥを備え、
前記複数のＵＥのうち１より多くのため、バンドルされたＴＴＩ送信が、同じ周期的なパケット到着時間にマップされる、請求項２３に記載の方法。
【請求項３４】
前記少なくとも１つのＵＥは、複数のＵＥを備え、
前記複数のＵＥのうちの少なくとも２つのため、バンドルされた送信が、異なる数のＴＴＩ送信を有する、請求項２３に記載の方法。
【請求項３５】
無線通信システムにおける通信のための装置であって、
連続通信モードに入るための設定シグナリングを少なくとも１つのユーザ機器（ＵＥ）へ送信する手段と、
周期的なパケット到着時間にマップされた送信時間を有する送信時間インタバル（ＴＴＩ）送信のバンドルを処理する手段と、ここで、前記バンドルされたＴＴＩ送信は、アクノレッジメント無しで処理され、前記バンドルされたＴＴＩ送信が正しく受信されたことが示される、
を備える装置。
【請求項３６】
前記周期的なパケット到着時間は、ボイス・オーバ・インターネット・プロトコル（ＶＯＩＰ）パケットのためのものである、請求項３５に記載の装置。
【請求項３７】
前記無線通信システムは、ロング・ターム・イボリューション（ＬＴＥ）システムを備える、請求項３５に記載の装置。
【請求項３８】
前記設定シグナリングは、物理ダウンリンク制御チャネル（ＰＤＣＣＨ）によって伝送される、請求項３５に記載の装置。
【請求項３９】
前記処理する手段は、ＴＴＩ送信の１または複数のバンドルを、前記少なくとも１つのＵＥへ送信する手段を備える、請求項３５に記載の装置。
【請求項４０】
前記連続通信モードを終了するため、アクノレッジメントを前記少なくとも１つのＵＥへ送信する手段、をさらに備える請求項３５に記載の装置。
【請求項４１】
前記処理する手段は、前記少なくとも１つのＵＥから、ＴＴＩ送信の１または複数のバンドルを受信する手段を備える、請求項３５に記載の装置。
【請求項４２】
前記少なくとも１つのＵＥからアクノレッジメントを受信することに応じて、前記連続通信モードを終了する手段、をさらに備える請求項３５に記載の装置。
【請求項４３】
アクティブな通話中の連続通信モードと、サイレンス時間中の通常の通信モードとを交互させる手段、を備える請求項３５に記載の装置。
【請求項４４】
前記少なくとも１つのＵＥは、複数のＵＥを備え、
前記処理する手段は、バンドルされたＴＴＩを、互い違いの送信時間で、別のＵＥへ送信する手段を備える、請求項３５に記載の装置。
【請求項４５】
前記少なくとも１つのＵＥは、複数のＵＥを備え、
前記複数のＵＥのうち１より多くのため、バンドルされたＴＴＩ送信が、同じ周期的なパケット到着時間にマップされる、請求項３５に記載の装置。
【請求項４６】
前記少なくとも１つのＵＥは、複数のＵＥを備え、
前記複数のＵＥのうちの少なくとも２つのため、バンドルされた送信が、異なる数のＴＴＩ送信を有する、請求項３５に記載の装置。
【請求項４７】
無線通信システムにおける通信のための装置であって、
連続通信モードに入るための設定シグナリングを少なくとも１つのユーザ機器（ＵＥ）へ送信し、
周期的なパケット到着時間にマップされた送信時間を有する送信時間インタバル（ＴＴＩ）送信のバンドルを処理する、ここで、前記バンドルされたＴＴＩ送信は、アクノレッジメント無しで処理され、前記バンドルされたＴＴＩ送信が正しく受信されたことが示される、
ように構成された少なくとも１つのプロセッサと、
前記少なくとも１つのプロセッサに接続されたメモリと、
を備える装置。
【請求項４８】
無線通信システムにおける通信のためのコンピュータ・プログラム製品であって、
連続通信モードに入るための設定シグナリングを少なくとも１つのユーザ機器（ＵＥ）へ送信し、
周期的なパケット到着時間にマップされた送信時間を有する送信時間インタバル（ＴＴＩ）送信のバンドルを処理する、ここで、前記バンドルされたＴＴＩ送信は、アクノレッジメント無しで処理され、前記バンドルされたＴＴＩ送信が正しく受信されたことが示される、
ためのコードを備えるコンピュータ読取可能な媒体を備える、コンピュータ・プログラム製品。
【発明の詳細な説明】
【優先権主張】
【０００１】
本特許出願は、本特許出願の譲受人に譲渡され、本明細書において参照によって明確に組み込まれている２０１０年２月１７日出願の「ロング・ターム・イボリューション・システムにおいて連続モード動作を容易にする方法および装置」（METHOD AND APPARATUS THAT FACILITATES CONTINUOUS MODE OPERATION IN LONG TERM EVOLUTION SYSTEMS）と題された米国仮特許出願６１／３０５，４９０号の優先権を主張する。
【技術分野】
【０００２】
本開示のある態様は、一般に、無線通信に関し、さらに詳しくは、連続通信モードのための技術に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信のために、複数（ＮＴ個）の送信アンテナと、複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
本開示のある態様は、無線通信システムにおける通信のための方法を提供する。この方法は一般に、連続通信モードに入るための設定シグナリングを基地局から受信することと、周期的なパケット到着時間にマップされた送信時間を有する送信時間インタバル（ＴＴＩ）送信のバンドルを処理することと、ここで、バンドルされたＴＴＩ送信は、アクノレッジメント無しで処理され、バンドルされたＴＴＩ送信が正しく受信されたことが示される、を含む。
【０００８】
本開示のある態様は、無線通信システムにおける通信のための装置を提供する。この装置は一般に、連続通信モードに入るための設定シグナリングを基地局から受信する手段と、周期的なパケット到着時間にマップされた送信時間を有する送信時間インタバル（ＴＴＩ）送信のバンドルを処理する手段と、ここで、バンドルされたＴＴＩ送信は、アクノレッジメント無しで処理され、バンドルされたＴＴＩ送信が正しく受信されたことが示される、を含む。
【０００９】
本開示のある態様は、無線通信システムにおける通信のための装置を提供する。この装置は一般に、連続通信モードに入るための設定シグナリングを基地局から受信し、周期的なパケット到着時間にマップされた送信時間を有する送信時間インタバル（ＴＴＩ）送信のバンドルを処理する、ここで、バンドルされたＴＴＩ送信は、アクノレッジメント無しで処理され、バンドルされたＴＴＩ送信が正しく受信されたことが示される、ように構成された少なくとも１つのプロセッサと、少なくとも１つのプロセッサに接続されたメモリと、を含む。
【００１０】
本開示のある態様は、コンピュータ読取可能な媒体を備えた、無線通信システムにおける通信のためのコンピュータ・プログラム製品を提供する。このコンピュータ読取可能な媒体は一般に、連続通信モードに入るための設定シグナリングを基地局から受信し、周期的なパケット到着時間にマップされた送信時間を有する送信時間インタバル（ＴＴＩ）送信のバンドルを処理する、ここで、バンドルされたＴＴＩ送信は、アクノレッジメント無しで処理され、バンドルされたＴＴＩ送信が正しく受信されたことが示される、ためのコードを含む。
【００１１】
本開示のある態様は、無線通信システムにおける通信のための方法を提供する。この方法は一般に、連続通信モードに入るための設定シグナリングを少なくとも１つのユーザ機器（ＵＥ）へ送信することと、周期的なパケット到着時間にマップされた送信時間を有する送信時間インタバル（ＴＴＩ）送信のバンドルを処理することと、ここで、バンドルされたＴＴＩ送信は、アクノレッジメント無しで処理され、バンドルされたＴＴＩ送信が正しく受信されたことが示される、を含む。
【００１２】
本開示のある態様は、無線通信システムにおける通信のための装置を提供する。この装置は一般に、連続通信モードに入るための設定シグナリングを少なくとも１つのユーザ機器（ＵＥ）へ送信する手段と、周期的なパケット到着時間にマップされた送信時間を有する送信時間インタバル（ＴＴＩ）送信のバンドルを処理する手段と、ここで、バンドルされたＴＴＩ送信は、アクノレッジメント無しで処理され、バンドルされたＴＴＩ送信が正しく受信されたことが示される、を含む。
【００１３】
本開示のある態様は、無線通信システムにおける通信のための装置を提供する。この装置は一般に、連続通信モードに入るための設定シグナリングを少なくとも１つのユーザ機器（ＵＥ）へ送信し、周期的なパケット到着時間にマップされた送信時間を有する送信時間インタバル（ＴＴＩ）送信のバンドルを処理する、ここで、バンドルされたＴＴＩ送信は、アクノレッジメント無しで処理され、バンドルされたＴＴＩ送信が正しく受信されたことが示される、ように構成された少なくとも１つのプロセッサと、少なくとも１つのプロセッサに接続されたメモリと、を含む。
【００１４】
本開示のある態様は、コンピュータ読取可能な媒体を備えた、無線通信システムにおける通信のためのコンピュータ・プログラム製品を提供する。このコンピュータ読取可能な媒体は一般に、連続通信モードに入るための設定シグナリングを少なくとも１つのユーザ機器（ＵＥ）へ送信し、周期的なパケット到着時間にマップされた送信時間を有する送信時間インタバル（ＴＴＩ）送信のバンドルを処理する、ここで、バンドルされたＴＴＩ送信は、アクノレッジメント無しで処理され、バンドルされたＴＴＩ送信が正しく受信されたことが示される、ためのコードを含む。
【図面の簡単な説明】
【００１５】
本開示の特徴、特性、および利点は、同一の参照符号が全体を通じて同一物を特定している図面とともに考慮された場合、以下に記載する詳細な記載からより明らかになるだろう。
【図１】図１は、本明細書に記載されたさまざまな態様にしたがう無線通信システムの例示である。
【図２】図２は、本明細書で記載されたされたさまざまなシステムおよび方法と共に適用されうる無線ネットワーク環境の例の例示である。
【図３】図３は、実施形態にしたがって、連続モード動作を容易にする典型的な環境の例示である。
【図４】図４は、実施形態したがう、典型的な方法のブロック図である。
【図５】図５は、実施形態したがう、典型的な方法のブロック図である。
【図６】図６は、実施形態にしたがう、連続通信モードの早期終了のためのメッセージ交換の例である。
【図７】図７は、ある例の実施形態にしたがって、連続的なボイス・オーバ・インターネット・プロトコル送信においてリソースを割り当てるための典型的なオプションを例示する。
【図８】図８は、ある例の実施形態にしたがって、連続的なボイス・オーバ・インターネット・プロトコル送信においてリソースを割り当てるための典型的なオプションを例示する。
【図９】図９は、ある例の実施形態にしたがって、連続的なボイス・オーバ・インターネット・プロトコル送信においてリソースを割り当てるための典型的なオプションを例示する。
【図１０】図１０は、ある例の実施形態にしたがって、連続的なボイス・オーバ・インターネット・プロトコル送信においてリソースを割り当てるための典型的なオプションを例示する。
【図１１】図１１は、ある例の実施形態にしたがって、連続的なボイス・オーバ・インターネット・プロトコル送信においてリソースを割り当てるための典型的なオプションを例示する。
【発明を実施するための形態】
【００１６】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥについて記載されており、ＬＴＥ用語が以下の説明の多くで使用される。
【００１７】
単一のキャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。これは現在、３ＧＰＰロング・ターム・イボリューション（ＬＴＥ）またはイボルブドＵＴＲＡにおけるアップリンク多元接続スキームのための動作前提である。
【００１８】
図１に示すように、１つの実施形態にしたがう多元接続無線通信システムが例示される。アクセス・ポイント１００（ＡＰ）は、１つは１０４，１０６を含み、他のものは１０８，１１０を含み、さらに他のものは１１２，１１４を含む複数のアンテナ・グループを含んでいる。図１では、おのおののアンテナ・グループについて２本のアンテナしか示されていない。しかしながら、おのおののアンテナ・グループについて、これより多くまたはこれより少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０４，１０６と通信しており、アンテナ１０４，１０６は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００１９】
通信するように設計された領域および／またはアンテナのおのおののグループは、しばしば、アクセス・ポイントのセクタと称される。１つの実施形態では、アンテナ・グループは、アクセス・ポイント１００によってカバーされる領域のセクタ内のアクセス端末へ通信するように設計される。
【００２０】
順方向リンク１２０，１２６による通信では、アクセス・ポイント１００の送信アンテナは、別のアクセス端末１１６，１２２の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２１】
アクセス・ポイントは、端末と通信するために使用される固定局であり、アクセス・ポイント、ノードＢ、あるいはその他幾つかの専門用語でも称されうる。アクセス端末は、無線端末、ユーザ機器（ＵＥ）、無線通信デバイス、端末、または、その他いくつかの専門用語でも称される。
【００２２】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２３】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２４】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。プロセッサ２３０によって実行される命令群は、プロセッサ２３０に接続されうるメモリ２３２内に格納されうる。メモリ２３２は、プロセッサ２３０の外側または内側にありうる。
【００２５】
すべてのデータ・ストリームの変調シンボルは、（例えば、ＯＦＤＭのための）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２６】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２７】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２８】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００２９】
プロセッサ２７０は、どのプリコーディング行列を使用するのかを定期的に決定する。さらに、プロセッサ２７０は、行列インデクス部およびランク値部を備えた逆方向リンク・メッセージを規定する。プロセッサ２７０によって実行される命令群は、プロセッサ２７０に接続されうるメモリ２７２に格納されうる。メモリ２７２はプロセッサ２７０の外側または内側にありうる。
【００３０】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３１】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどのプリコーディング行列を使用するかを決定し、抽出されたメッセージを処理する。
【００３２】
態様では、論理チャネルが、制御チャネルとトラフィック・チャネルとに分類される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを備える。一般に、ＲＲＣ接続を確立した後、このチャネルは、ＭＢＭＳを受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに特化されたポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを備える。
【００３３】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３４】
ＤＬ  ＰＨＹチャネルは以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）
ＵＬ  ＰＨＹチャネルは以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）
態様では、シングル・キャリア波形の低ＰＡＲ（所与の時間において、チャネルは、周波数において隣接しているか、あるいは一定の間隔をもって配置されている）特性を維持するチャネル構造が提供される。
【００３５】
本書の目的のために、以下の略語を適用する。  
ＡＭ          アクノレッジ・モード  
ＡＭＤ        アクノレッジ・モード・データ  
ＡＲＱ        自動反復要求  
ＢＣＣＨ      ブロードキャスト制御チャネル  
ＢＣＨ        ブロードキャスト・チャネル  
Ｃ−          制御−  
ＣＣＣＨ      共通制御チャネル  
ＣＣＨ        制御チャネル  
ＣＣＴｒＣＨ  符号化された合成伝送チャネル  
ＣＰ          サイクリック・プレフィクス  
ＣＲＣ        巡回冗長検査  
ＣＴＣＨ      共通トラフィック・チャネル  
ＤＣＣＨ      専用制御チャネル  
ＤＣＨ        専用チャネル  
ＤＬ          ダウンリンク  
ＤＳＣＨ      ダウンリンク共有チャネル  
ＤＴＣＨ      専用トラフィック・チャネル  
ＦＡＣＨ      順方向リンク・アクセス・チャネル  
ＦＤＤ        周波数分割デュプレクス  
Ｌ１          レイヤ１（物理レイヤ）  
Ｌ２          レイヤ２（データ・リンク・レイヤ）  
Ｌ３          レイヤ３（ネットワーク・レイヤ）  
ＬＩ          長さインジケータ  
ＬＳＢ        最下位ビット  
ＭＡＣ        媒体アクセス制御  
ＭＢＭＳ      マルチメディア・ブロードキャストおよびマルチキャスト・サービス  
ＭＣＣＨ      ＭＢＭＳポイント・トゥ・マルチポイント制御チャネル  
ＭＲＷ        動き受信ウィンドウ  
ＭＳＢ        最上位ビット  
ＭＳＣＨ      ＭＢＭＳポイント・トゥ・マルチポイント・スケジューリング・チャネル  
ＭＴＣＨ      ＭＢＭＳポイント・トゥ・マルチポイント・トラフィック・チャネル  
ＰＣＣＨ      ページング制御チャネル  
ＰＣＨ        ページング・チャネル  
ＰＤＵ        プロトコル・データ・ユニット  
ＰＨＹ        物理レイヤ  
ＰｈｙＣＨ    物理チャネル  
ＲＡＣＨ      ランダム・アクセス・チャネル  
ＲＬＣ        ラジオ・リンク制御  
ＲＲＣ        ラジオ・リソース制御  
ＳＡＰ        サービス・アクセス・ポイント  
ＳＤＵ        サービス・データ・ユニット  
ＳＨＣＣＨ    共有チャネル制御チャネル  
ＳＮ          シーケンス番号  
ＳＵＦＩ      スーパ・フィールド  
ＴＣＨ        トラフィック・チャネル  
ＴＤＤ        時分割デュプレクス  
ＴＦＩ        伝送フォーマット・インジケータ  
ＴＭ          透過モード  
ＴＭＤ        透過モード・データ  
ＴＴＩ        送信時間インタバル  
Ｕ−          ユーザ−  
ＵＥ          ユーザ機器  
ＵＬ          アップリンク  
ＵＭ          非アクノレッジ・モード  
ＵＭＤ        非アクノレッジ・モード・データ  
ＵＭＴＳ      ユニバーサル・モバイル通信システム  
ＵＴＲＡ      ＵＭＴＳ地上ラジオ・アクセス  
ＵＴＲＡＮ    ＵＭＴＳ地上ラジオ・アクセス・ネットワーク  
ＭＢＳＦＮ    マルチキャスト・ブロードキャスト単一周波数ネットワーク  
ＭＣＥ        ＭＢＭＳ調整エンティティ  
ＭＣＨ        マルチキャスト・チャネル  
ＤＬ−ＳＣＨ  ダウンリンク共有チャネル  
ＭＳＣＨ      ＭＢＭＳ制御チャネル  
ＰＤＣＣＨ    物理ダウンリンク制御チャネル  
ＰＤＳＣＨ    物理ダウンリンク共有チャネル  
ＰＵＳＣＨ    物理アップリンク共有チャネル
本開示のある態様は、例えばＬＴＥシステムのような無線通信システムにおいて連続モード動作を容易にするための技術を提供する。
【００３６】
例えばＬＴＥのようなパケット・ベースのシステムのための規格は、主に、ベスト・エフォート（ＢＥ）データ・トラフィック最適化に焦点を置いていることが注目されうる。しかしながら、一般に音声のみのために最適化されているボイス・オーバ・インターネット・プロトコル（ＶＯＩＰ）アプリケーションの場合、例えばＣＤＭＡ  １Ｘのような他のシステムと比較された場合、いくつかの欠点がある。
【００３７】
１つの欠点の例は、時分割多重化（ＴＤＭ）システムにおいて固有であるリンク・バジェット問題に関連する。ＬＴＥでは、バンドルあたり１つのＨＡＲＱフィードバックしか必要としない複数のＴＴＩ送信のための単一の許可によって、送信のバンドリングが許可されている。しかしながら、ＬＴＥ仕様は、バンドリングを４に制限するので、セル・エッジのユーザにとっては、リンク・バジェット問題が未だに存在する。さらに、このようなバンドリングでは、１６の時間遷移インタバル（ＴＴＩ）ハイブリッド自動反復要求（ＨＡＲＱ）ターン・アラウンド時間と、一般に２０ミリ秒であるＶＯＩＰパケット到着時間とによって、常にコンフリクトが発生しうる。
【００３８】
ある態様によれば、バンドルされたＴＴＩ送信のタイミングをＶＯＩＰパケット到着時間にマップすることと、バンドルにアクノレッジする必要性を除去することとによって、無線システムにおける通信のための連続モード動作が提供される。ある態様によれば、この技術は、例えば、セル・エッジにいるユーザのように、リンク・バジェットが制限されたユーザのために利点を与えうる。ある態様によれば、連続モードは、例えば、ＵＥで受信された信号強度によって決定されるように、セル内の位置に基づいて、イネーブルおよびディセーブルされうる。
【００３９】
以下の記載は、例示的であり、限定することなく、ＶＯＩＰアプリケーションにおいて利用されるべき連続モード動作のための技術の例を提供する。しかしながら、当業者であれば、本明細書に示された技術は、例えばビデオおよび／またはオーディオが、例えばスマート・フォンやタブレットのようなモバイル・デバイスにストリームされるアプリケーションのように、（例えば、秒や分である持続時間を超えて）延長された期間のために一貫したシステム・リソースを必要としうるさまざまなアプリケーションに、より一般的に適用されうることを認識するだろう。
【００４０】
図３は、本開示の態様にしたがって、連続動作モードが利用されうる無線環境３００の例を例示する。図示するように、環境３００は、無線端末３２０および無線端末３３０に通信可能に接続された基地局３１０を含む。
【００４１】
ある態様によれば、基地局３１０は、連続モード動作をイネーブルするために、無線端末３２０および無線端末３３０のおのおのに設定データを提供する設定構成要素３１２を含みうる。無線端末３２０は、基地局３１０から設定データ（またはその他のシグナリング）を受信し、これにしたがって、連続モード通信をイネーブル／ディセーブルするように構成された設定構成要素３２２を含みうる。
【００４２】
図３に例示されたこの特定の実施形態の場合、基地局３１０と無線端末３２０との間の連続モード動作が容易とされうる。一方、基地局３１０と無線端末３３０とは通常の送信（例えば、バンドリング無し、および／または、従来のＨＡＲＱバンドリング有り）で通信する。連続送信モードにある間、基地局３１０と無線端末３２０とは、送信時間がボイス・オーバ・インターネット・プロトコル（ＶＯＩＰ）到着時間にマップされたＴＴＩバンドルを利用しうる。例示されるように、基地局３１０は、ＴＴＩをバンドルし、バンドルされたＴＴＩ送信時間をＶＯＩＰ到着時間にマップする、バンドリング構成要素３１４とマッピング構成要素３１６とを含みうる。連続モードがアップリンク通信とダウンリンク通信との両方に適用されうるので、無線端末３２０もまた、バンドリング構成要素３２４とマッピング構成要素３２６とを含みうる。
【００４３】
図４は、例えば基地局（例えば、図３のＢＳ３１０）によって実行されうる動作４００の例を例示する。動作４００は、連続通信モードに入るための設定シグナリングを少なくとも１つのユーザ機器（ＵＥ）へ送信することによって、４０２において始まる。このように、ユーザは、連続モードに、準静的に設定されうる。例えば、ユーザは、ＰＤＣＣＨ割当および割当解除によって、連続送信を開始および停止しうる。
【００４４】
４０４では、ボイス・オーバ・インターネット・プロトコル（ＶＯＩＰ）到着時間にマップされた送信時間を有する送信時間インタバル（ＴＴＩ）送信のバンドルが処理される。ここでは、バンドルされたＴＴＩ送信は、アクノレッジメント無しで処理され、バンドルされたＴＴＩ送信が正しく受信されたことが示される。この処理は、ＵＥからアップリンクで送信された、バンドルされたＴＴＩ送信を受信すること、または、バンドルされたＴＴＩ送信を、ダウンリンクでＵＥへ送信することを備えうる。
【００４５】
図５は、例えば（図３のＵＥ３２０のような）ユーザ機器によって実行されうる動作５００の例を例示する。この動作５００は、連続通信モードに入るための設定シグナリングを基地局から受信することによって、５０２において始まる。５０４では、ボイス・オーバ・インターネット・プロトコル（ＶＯＩＰ）到着時間にマップされた送信時間を有する送信時間インタバル（ＴＴＩ）送信のバンドルが処理される。ここでは、バンドルされたＴＴＩ送信は、アクノレッジメント無しで処理され、バンドルされたＴＴＩ送信が正しく受信されたことが示される。
【００４６】
ある態様によれば、リンク・バジェットとユーザ容量とのトレード・オフのために、１つのリソース・ブロック（ＲＢ）内で複数のユーザが多重化されうる。例えば、周波数分割多重化（ＦＤＭ）、符号分割多重化および周波数分割多重化（ＣＤＭ／ＦＤＭ）、または空間分割多元接続（ＳＤＭＡ）アプローチが、ＶＯＩＰ強化のために使用されうる。ユーザはまた、例えば、ＶＯＩＰアクティビティ時間に基づいて割り当てられたリソースを用いて、共に時間多重化されうる。
【００４７】
いくつかの条件の下では、本明細書に記載された連続送信モードは、（例えば、セル・エッジにおけるように）リンク・バジェットが制限されたユーザのための利点のような、さまざまな長所を提供しうる。ある態様によれば、（イネーブル／ディセーブルするための）より高次のレイヤ・シグナリングが、物理ダウンリンク制御チャネル（ＰＤＣＣＨ）オーバヘッドを低減するように構成されうる。バンドルされた送信は、一般に、バンドルされたサブ・フレームにわたる符号化、相互サブ・フレーム・チャネル推定、および時間領域ダイバーシティ利得の利用によるリンク・バジェット利得を提供しうる。別のユーザについては（例えば、リンク・バジェットに依存して）異なるレベルのバンドリングが選択されうる。
【００４８】
ある態様によれば、ＨＡＲＱフィードバックは、ＶＯＩＰ到着時間にマップされたバンドルされた送信のために必要とされない。これはまた、スケジューリングを単純化することに加え、ＨＡＲＱターン・アラウンド時間とＶＯＩＰパケット到着時間との間のコンフリクトを解決しうる。ＨＡＲＱフィードバックを必要としないことはまた、ＤＬまたはＵＬのためのアクノレッジメント（ＡＣＫ）リソースの必要性をも取り除く。
【００４９】
しかしながら、ある場合には、図６に例示されるように、早期終了および不連続受信（ＤＲＸ）を可能にするために、ＡＣＫが使用されうる。例示されるように、連続モードは、例えば、基地局６１０が、ＵＥ６２０に設定データを（例えばＰＤＣＣＨ）を介して送信することによって６３０において開始されうる。連続モードでは、（送信回数が、ＶＯＩＰ到着時間にマップされた）バンドルされた、非ＨＡＲＱ  ＴＴＩ送信６３２が、ＨＡＲＱ  ＡＣＫのための必要なく、ＢＳ６３０からＵＥ６２０に送信されうる。
【００５０】
しかしながら、連続モードにある場合、６３４において、ＡＣＫメッセージを送信することによって、パケットの早期終了をもたらしうる。例示されるように、このパケットの送信が早期終了する場合、例えば、バンドルされた非ＨＡＲＱのさらなるＴＴＩ送信６３２のその後の通信によって、連続モードが維持されうる。
【００５１】
例えば、データの復号を連続的に試みた後、ＵＥによって、パケットの早期終了が促され、復号されると、ＵＥは、節電するためにＤＲＸモードに入りうる。図６における例は、ダウンリンク・バンドル送信しか例示していないが、アップリンクとダウンリンクとの両方が連続モード通信でありうる。さらに、例示された例は、ＡＣＫを送信することによって早期終了を実行するＵＥを示しているが、ＢＳ６１０もまた、ＡＣＫをＵＥ６２０へ送信することによって連続モードを終了することができうる。ある態様によれば、基地局は、ＣＲＣに合格すると、各送信の終了前に、事前合意された時間においてＡＣＫを送信しうる。ＵＥは、ＡＣＫを検出し、送信を終了しうる。この早期終了は、ＵＥのバッテリ寿命を節約し、ＵＬ干渉を低減しうる。
【００５２】
ＡＣＫメッセージングによる早期終了に加えて、ある態様によれば、システムは、連続送信モードと通常の送信モードとの間を遷移しうる。例えば、アクティブな通話時間中、連続送信モードが使用されうる。しかしながら、サイレント時間中、サイレンス識別子（ＳＩＤ）が（例えば、１６０ミリ秒間隔で）送信されうる。このＳＩＤは、はるかに長いデューティ・サイクルで送信されるので、示されたサイレンス時間中に、通常の送信モードが使用されうる。
【００５３】
ある態様によれば、異なるユーザ／アプリケーションのために、時間／周波数リソースが分割されうる。所与のいずれの時間においても、いくつかのユーザは、連続モードで通信しうる一方、その他のユーザは、通常の送信モードを用いて通信する。この特定の設定は、例えば、利用可能なリソース、異なるアプリケーションのためのサービス品質（ＱｏＳ）要件、および、各ユーザのリンク・バジェットのようなさまざまな要因に依存しうる。
【００５４】
バンドルされ、特定のユーザに割り当てられたＶＯＩＰ到着時間にマップされた特定のＴＴＩ送信もまた変動しうる。図７−１１は、連続的なＶＯＩＰ送信のためのリソースを割り当てるための複数の例のオプションを例示する。
【００５５】
図７は、典型的な２０ミリ秒のＶＯＩＰパケット到着時間に一致しうる２０のＴＴＩバンドリングを各ユーザが効果的に有しうる第１のオプションを例示する。異なるユーザは、ＦＤＭかハイブリッドＦＤＭ／ＣＤＭによって、各ＲＢ内で多重化されうる。しかしながら、多くのユーザが存在する場合では、これは、処理負荷が重くなり、複数のユーザへのバンドルされた送信によって、リソース消費におけるスパイクが生じる。その後、ほとんどあるいはまったくアクティブではない時間が比較的長く続く。これは、最適なリソース利用ではない。
【００５６】
図８は、各ユーザが、互い違いにバンドルされたＴＴＩ送信時間を有する第２のオプションを例示する。図７に例示されたオプションと比較して、このアプローチは、処理負荷のみならず、シグナリングをもより平等に分配しうる。図９は、ユーザが１０のＴＴＩバンドリングを効果的に有する第３のオプションを例示する。ここでは、ユーザの２つのグループが、時間を共有する。図１０および図１１は、ユーザがさまざまな度合のバンドリング（例えば、図１０に例示されるように、１６／４のＴＴＩバンドルが混合された、および図１１に例示されるように、８／８／４のＴＴＩバンドルが混合された）を有する第４および第５のオプションを例示する。
【００５７】
例示的な目的のために、２０ミリ秒毎のＶＯＩＰ到着時間と、１ミリ秒のＴＴＩとが仮定されうるが、当業者であれば、本明細書に示されたＴＴＩバンドリングおよびマッピングは、ＶＯＩＰ到着時間とＴＴＩ期間との任意の組み合わせを用いて適用されうることを認識するだろう。
【００５８】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００５９】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６０】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、上述した機能を実現することができる。しかしながら、この適用判断は、本発明の範囲からの逸脱をもたらすものと解釈されるべきではない。
【００６１】
本明細書で開示される実施形態に関連して記載されるさまざまな例示的な論理ブロック、モジュール、および回路は、汎用プロセッサ、デジタル信号プロセッサ（ＤＳＰ）、特定用途向けＩＣ（ＡＳＩＣ）、フィールド・プログラマブル・ゲート・アレイ（ＦＰＧＡ）あるいはその他のプログラマブル論理デバイス、ディスクリート・ゲートまたはトランジスタ・ロジック、ディスクリート・ハードウェア構成要素、あるいは、本明細書に記載の機能を実行するために設計されたこれら任意の組み合わせによって実装または実行されうる。汎用プロセッサは、マイクロ・プロセッサでありうるが、代わりに、従来技術によるプロセッサ、コントローラ、マイクロコントローラ、あるいは順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６２】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。１つの代替例では、この記憶媒体は、プロセッサに統合されうる。このプロセッサと記憶媒体とは、ＡＳＩＣ内に存在しうる。ＡＳＩＣは、ユーザ端末内に存在しうる。１つの代替例では、プロセッサおよび記憶媒体は、ユーザ端末内のディスクリートな構成要素として存在しうる。
【００６３】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2013520140.tif 000003
【図２】
2013520140.tif 000004
【図３】
2013520140.tif 000005
【図４】
2013520140.tif 000006
【図５】
2013520140.tif 000007
【図６】
2013520140.tif 000008
【図７】
2013520140.tif 000009
【図８】
2013520140.tif 000010
【図９】
2013520140.tif 000011
【図１０】
2013520140.tif 000012
【図１１】
2013520140.tif 000013
【国際調査報告】
2013520140.tif 000014
2013520140.tif 000015